(57)【特許請求の範囲】
【請求項１】
上枠および下枠を有した枠体と、この枠体に左右スライド自在に支持された内外一対の障子とを備えた建具であって、
前記内障子は、開放方向の側端縁を構成する戸先框と閉鎖方向の側端縁を構成する召合せ框とを有して構成され、
前記外障子は、開放方向の側端縁を構成する召合せ框と閉鎖方向の側端縁を構成する戸先框とを有して構成され、
前記上枠には、前記内障子を案内する第１上レールと外障子を案内する第２上レールとが設けられ、
前記第１上レールは、前記内障子の全開位置から全閉位置までの範囲に設けられるとともに、当該全閉位置の内障子における召合せ框の位置で切断された切断端縁を有して形成され、かつ、当該切断端縁を覆う端部カバー部材が取り付けられ、
前記端部カバー部材における閉鎖方向側の端部の室内外側面には、一対のカバー傾斜面が前記開放方向に向かうにしたがって互いが離れる方向に傾斜して形成され、
前記外障子の戸先框の上端部には、前記全閉位置から全開位置まで移動する際に前記端部カバー部材および前記第１上レールを挿通する挿通溝が形成されている建具。
【請求項２】
前記端部カバー部材における開放方向側の端部の室内外側面には、一対の第２カバー傾斜面が前記閉鎖方向に向かうにしたがって互いが離れる方向に傾斜して形成されている請求項１に記載の建具。
【請求項３】
前記端部カバー部材は、互いに対向した一対の側面部と、これら一対の側面部間に設けられて上方および一側方に開口し前記第１上レールを挿通可能な溝部とを有して形成され、
前記一対の側面部のうち、一方の側面部の開口上端縁が他方の側面部よりも上方に延びて形成されるか、または一方の側面部の開口側端縁が他方の側面部よりも一側方に延びて形成されている請求項１または請求項２に記載の建具。
【請求項４】
前記端部カバー部材の一対の側面部のうち、少なくとも一方には他方に向かって突出した係合突部が形成され、前記第１上レールには切欠き部が形成され、この切欠き部に前記係合突部が係合することで当該端部カバー部材が第１上レールに取り付けられている請求項３に記載の建具。
【請求項５】
前記外障子の戸先框の上端部には、端部キャップ部材が取り付けられており、この端部キャップ部材に前記挿通溝が形成されている請求項１から請求項４のいずれかに記載の建具。
【請求項６】
前記端部キャップ部材の挿通溝は、互いに対向した第１キャップ側面部および第２キャップ側面部を有して構成され、
前記第１キャップ側面部および第２キャップ側面部の前記開放方向側の端部には、当該開放方向に向かうにしたがって互いが離れる方向に傾斜した一対のキャップ傾斜面が形成され、
前記第１キャップ側面部および第２キャップ側面部の前記閉鎖方向側の端部には、当該閉鎖方向に向かうにしたがって互いが離れる方向に傾斜した一対のキャップ傾斜面が形成されている請求項５に記載の建具。
【請求項７】
前記上枠は、上枠本体と、この上枠本体に取り付けられて前記第１上レールを構成する第１上レール部材と、前記内障子の閉鎖方向前方かつ前記外障子の全閉位置に隣接して前記上枠本体に取り付けられる上枠カバー部材とを備えて構成されている請求項１から請求項６のいずれかに記載の建具。
【発明の詳細な説明】
【技術分野】
【０００１】
本発明は、一対の障子を備えた建具に関する。
【背景技術】
【０００２】
従来、一対の障子を備えた建具として、二枚建ての片引き窓や引き分け窓等、が知られている（例えば、特許文献１参照）。
特許文献１に記載された建具は、一対２枚ずつの障子が左右対称に配置された計４枚の障子を備えた四枚建ての引き分け窓であり、各一対（２枚）の障子（室内側障子および室外側障子）は、それぞれ上枠および下枠に形成された内外の上部レールおよび下部レールに案内されて左右スライド自在に支持されている。そして、室内側障子および室外側障子は、左右の一方（同一方向）に開放されて障子収納部に収納されることで全開可能に構成され、室内側障子の一方の縦框（戸先框）が障子収納部の側端縁（方立）に重なるとともに、室内外の障子の縦框（召合せ框）同士が見込み方向に重なることで閉鎖可能に構成されている。この閉鎖状態において、左右各組の室外側障子における縦框（戸先框）同士が当接することで窓全体が閉鎖されるようになっている。
【０００３】
また、特許文献１に記載されたような引き分け窓では、室内側障子が上枠および下枠の全長に渡ってスライドするようにはなっておらず、室内側障子の戸先框が方立に重なる閉鎖位置において方立と係合し、この閉鎖位置よりもさらに閉鎖方向（窓枠中央側）への移動が規制されるようになっている。従って、上枠および下枠には、それらの全長に渡って室内側の上部レールおよび下部レールが形成されているものの、これら室内側レールのうち、窓枠中央部分（室外側障子の閉鎖位置に対応した部分）は室内側障子を案内することがなく、レール機能の観点からは不要な部分となっている。また、レールが残存することで、そのレール部分で結露が発生するおそれがある。そこで、特許文献１の引き分け窓においては、窓枠中央部分における室内側の上部レールを覆う上部カバー部材と下部レールを覆う下部カバー部材とが設けられている。
【０００４】
【特許文献１】特開２００６−７０５７８号公報
【発明の開示】
【発明が解決しようとする課題】
【０００５】
しかしながら、前記特許文献１に記載されたような従来の引き分け窓では、レール機能として不要な部分にまで上部レールが設けられるとともに、これを覆う上部カバー部材が設けられているため、部材点数が多くなる。そこで、室内側障子が可動しない範囲において上部レールを取り除くことも考えられるが、室外側障子の戸先框が残存した上部レールと干渉する形状の場合、室外側障子の開閉操作時に戸先框と上部レールの閉鎖方向側端部とが衝突するなどして破損するおそれがあるという問題もある。
【０００６】
本発明の目的は、障子の破損を防止するとともに意匠性が良好にできる建具を提供することにある。
【課題を解決するための手段】
【０００７】
本発明の建具は、上枠および下枠を有した枠体と、この枠体に左右スライド自在に支持された内外一対の障子とを備えた建具であって、前記内障子は、開放方向の側端縁を構成する戸先框と閉鎖方向の側端縁を構成する召合せ框とを有して構成され、前記外障子は、開放方向の側端縁を構成する召合せ框と閉鎖方向の側端縁を構成する戸先框とを有して構成され、前記上枠には、前記内障子を案内する第１上レールと外障子を案内する第２上レールとが設けられ、前記第１上レールは、前記内障子の全開位置から全閉位置までの範囲に設けられるとともに、当該全閉位置の内障子における召合せ框の位置で切断された切断端縁を有して形成され、かつ、当該切断端縁を覆う端部カバー部材が取り付けられ、前記端部カバー部材における閉鎖方向側の端部の室内外側面には、一対のカバー傾斜面が前記開放方向に向かうにしたがって互いが離れる方向に傾斜して形成され、前記外障子の戸先框の上端部には、前記全閉位置から全開位置まで移動する際に前記端部カバー部材および前記第１上レールを挿通する挿通溝が形成されていることを特徴とする。
【０００８】
ここで、本発明の建具としては、少なくとも室内外一対の障子を備えたものであればよく、片方（一方方向）に全開される一対の障子を備えた建具や、一対２枚の障子を備えた片引き形式の建具でもよい。また、一対２枚ずつの障子を左右対称に配置した四枚建て引き分け形式の建具でもよい。さらに、本発明の建具としては、３枚の障子が片方に全開される三枚建て片引き形式のものでもよく、この場合には、３枚のうちの互いに隣り合う２枚の障子で一対の障子が構成されていればよい。また、障子収納部としては、外壁などの壁体に沿って設けられていてもよく、固定パネルや固定障子などの面材に沿って設けられていてもよい。
【０００９】
以上の本発明によれば、内障子を案内する第１上レールを内障子の全開位置から全閉位置までの範囲に設け、全閉位置の内障子における召合せ框の位置で第１上レールを切断したことで、内障子の移動範囲を外れた部分における第１上レールが省略できる。従って、内障子の移動範囲以外の部分（外障子の閉鎖位置に隣接する部分）において、上レールを覆って下方に突出するようなカバーを設ける必要もなくなり、障子全開時に目立つカバーがないので、建具の意匠性を向上させることができる。
また、第１上レールの切断端縁を端部カバー部材で覆ったことで、内障子を開放した際に切断端縁部分が露出しないため、安全性が向上できる。さらに、端部カバー部材にカバー傾斜面を形成したことで、外障子の開放時において、戸先框の挿通溝が第１上レールの切断端縁に接近する際に、端部カバー部材の一対のカバー傾斜面にて挿通溝内に第１上レールが案内されるため、外障子の開放操作を円滑に実施することができる。
【００１０】
この際、本発明の建具では、前記端部カバー部材における開放方向側の端部の室内外側面には、一対の第２カバー傾斜面が前記閉鎖方向に向かうにしたがって互いが離れる方向に傾斜して形成されていることが好ましい。
このような構成によれば、端部カバー部材に第２カバー傾斜面を形成することで、外障子の閉鎖時において、端部カバー部材の一対の第２カバー傾斜面にて挿通溝内に端部カバー部材が案内されるため、外障子の開放操作を円滑に実施することができる。
【００１１】
また、本発明の建具では、前記端部カバー部材は、互いに対向した一対の側面部と、これら一対の側面部間に設けられて上方および一側方に開口し前記第１上レールを挿通可能な溝部とを有して形成され、前記一対の側面部のうち、一方の側面部の開口上端縁が他方の側面部よりも上方に延びて形成されるか、または一方の側面部の開口側端縁が他方の側面部よりも一側方に延びて形成されていることが好ましい。
このような構成によれば、溝部に第１上レールを挿通させて端部カバー部材を取り付ける際に、開口上端縁または開口側端縁が長く形成された一方の側面部を第１上レールに当てがってから、溝部に第１上レールを挿通させることで、端部カバー部材の取り付けが容易にできる。
【００１２】
さらに、本発明の建具では、前記端部カバー部材の一対の側面部のうち、少なくとも一方には他方に向かって突出した係合突部が形成され、前記第１上レールには切欠き部が形成され、この切欠き部に前記係合突部が係合することで当該端部カバー部材が第１上レールに取り付けられていることが好ましい。
このような構成によれば、端部カバー部材の係合突部を第１上レールの切欠き部に係合させるだけで端部カバー部材が取り付けられるので、取付構造が簡単にでき、端部カバー部材の見込み方向の厚さ寸法を抑制することができる。
【００１３】
また、本発明の建具では、前記外障子の戸先框の上端部には、端部キャップ部材が取り付けられており、この端部キャップ部材に前記挿通溝が形成されていることが好ましい。
このような本発明によれば、外障子の戸先框の上端部に取り付けた端部キャップ部材に挿通溝を形成することで、挿通溝を容易に形成することができる。
【００１４】
さらに、本発明の建具では、前記端部キャップ部材の挿通溝は、互いに対向した第１キャップ側面部および第２キャップ側面部を有して構成され、前記第１キャップ側面部および第２キャップ側面部の前記開放方向側の端部には、当該開放方向に向かうにしたがって互いが離れる方向に傾斜した一対のキャップ傾斜面が形成され、前記第１キャップ側面部および第２キャップ側面部の前記閉鎖方向側の端部には、当該閉鎖方向に向かうにしたがって互いが離れる方向に傾斜した一対のキャップ傾斜面が形成されていることが好ましい。
このような構成によれば、外障子の開閉時に挿通溝を案内する傾斜面を端部キャップ側にも設けたため、端部キャップ部材と端部カバー部材との衝突が確実に防止でき、外障子の開放操作がより円滑にできる。
【００１５】
また、本発明の建具では、前記上枠は、上枠本体と、この上枠本体に取り付けられて前記第１上レールを構成する第１上レール部材と、前記内障子の閉鎖方向前方かつ前記外障子の全閉位置に隣接して前記上枠本体に取り付けられる上枠カバー部材とを備えて構成されていることが好ましい。
このような構成によれば、第１上レールを上枠本体と別体としたことで、必要な長さで製造した第１上レールを用意するだけで良くなり、第１上レールを上枠に一体成形したものから切断加工する場合と比較して、製造原料がさらに節約できるとともに、加工手間も削減することができる。また、内障子の移動範囲を外れた部分（第１上レールを省略した部分）に取り付けた上枠カバー部材で上枠の露出部分を覆うことで、意匠性が良好にできるとともに、この上枠カバー部材は、第１上レールを覆うような大きなサイズである必要がないことから、上枠カバー部材に要する製造原料の増加を最小限に留めることができる。さらに、上枠の露出部分を上枠カバー部材で覆うことで、上枠の結露を防止できるか、あるいは結露したとしても結露水が室内側に垂れ落ちるのを防止することができる。
【発明を実施するための最良の形態】
【００１６】
以下、本発明の実施形態を図面に基づいて説明する。
図１は、本発明の実施形態に係る建具であるサッシ窓１を示す横断面図である。図２および図３は、サッシ窓１を示す縦断面図であり、図２は、図１に矢視II−II線で示す断面図であり、図３は、図１に矢視III−III線で示す断面図である。
図１〜図３において、サッシ窓１は、建物の外壁開口部に設けられて建物の室内空間と室外空間とを仕切る四枚建て引き分け、引き込み開放形式の全開口タイプの建具である。このサッシ窓１は、外壁Ｗに固定される枠体としての窓枠２と、この窓枠２に左右スライド開閉自在に支持された４枚の障子１０と、障子１０の室外側に左右スライド開閉自在に支持された網戸２０とを備えて構成されている。
【００１７】
窓枠２は、四周枠組みされた上枠３、下枠４、および左右の縦枠５と、その内部にて上枠３と下枠４とに渡って架設された縦材６とを有して構成され、外壁Ｗから室外側に突出して固定されている。縦材６は、外壁開口部ＷＯの側端縁を構成する縦額縁材Ｇ１の室外側に位置して外壁Ｗに固定されており、この縦材６によって開口側端縁が構成されている。そして、窓枠２の内部において、縦材６と縦枠５との間でかつ外壁Ｗの室外側には、４枚の障子１０のうちの一対２枚の障子１０を収納する障子収納部７が形成されている。この障子収納部７における縦材６と縦枠５との間には、外壁Ｗと同様の外装材ＷＳが取り付けられ、外壁Ｗと連続した外観意匠が構成されるようになっている。
【００１８】
障子１０は、室内外一対の室内側障子（内障子）１０Ａおよび室外側障子（外障子）１０Ｂが左右対称に配置された計４枚で構成され、左右各一対の室内側障子１０Ａおよび室外側障子１０Ｂがそれぞれ左右の片側方向に全開可能に構成されている。すなわち、図１における右側に位置する一対の室内側障子１０Ａおよび室外側障子１０Ｂが右側に全開可能に構成され、全開位置において障子収納部７に収納されるようになっている。なお、図１では、左側の室内側障子１０Ａの図示を省略するとともに、左側の室外側障子１０Ｂの一部を図示したが、図１における左側に位置する一対の室内側障子（不図示）および室外側障子１０Ｂが左側に全開可能に構成され、全開位置において障子収納部（不図示）に収納されるようになっている。これらの障子１０は、それぞれ四周框組みした上框１１、下框１２、および左右の縦框１３と、その内部に支持されたガラスパネル１４とを備えて構成されている。そして、室内側障子１０Ａは、障子収納部７に収納された全開位置から、図１に示す全閉位置までの間を開閉移動可能とされている。一方、室外側障子１０Ｂは、障子収納部７に収納された全開位置から、室内側障子１０Ａの全閉位置を通過して図１に示す全閉位置までの間を開閉移動可能とされている。
【００１９】
以上の各障子１０において、室内側障子１０Ａの一方（図１中、右側）の縦框１３は、全閉位置で縦材６の室外側に重なって閉じ、他方（図１中、左側）の縦框１３は、全閉位置で室外側障子１０Ｂにおける一方（図１中、右側）の縦框１３の室内側に重なって閉じ、室外側障子１０Ｂの他方（図１中、左側）の縦框１３は、左側に隣接する室外側障子１０Ｂの縦框１３と当接して閉じるようになっている。すなわち、室内側障子１０Ａの一方の縦框１３によって戸先框１３Ａが構成され、他方の縦框１３によって召合せ框１３Ｂが構成されるとともに、室外側障子１０Ｂの一方の縦框１３によって召合せ框１３Ｃが構成され、他方の縦框１３によって戸先框１３Ｄが構成されている。また、窓枠２の下枠４には、図２、図３に示すように、室内側障子１０Ａの戸車１２Ａを転動案内する室内側下レール４Ａと、室外側障子１０Ｂの戸車１２Ｂを転動案内する室外側下レール４Ｂと、網戸２０の戸車２０Ａ，２０Ｂを転動案内する網戸レール４Ｃ，４Ｄとが設けられている。
【００２０】
次に、図４も参照して窓枠２の上枠３について詳しく説明する。ここで、図４は、上枠３を示す縦断面図である。
上枠３は、アルミ形材製の上枠本体３１および上枠室内部材３２と、これらの上枠本体３１と上枠室内部材３２とを連結する樹脂製の断熱部材３３と、上枠室内部材３２を上額縁材Ｇ２に固定する上枠固定部材３４とを備えて構成されている。上枠本体３１は、上面部３５および底面部３６を有して全体中空状に形成され、底面部３６には、室外側障子１０Ｂをスライド案内する第２上レールとしての室外側上レール３６Ａと、網戸２０をスライド案内する２つの網戸レール３６Ｂ，３６Ｃとが一体に形成されている。また、上枠３の底面部３６における室外側上レール３６Ａよりも室内側には、レール係合部３６Ｄが形成されており、このレール係合部３６Ｄには、第１上レール部材としてのレール部材３７が係合して取り付けられるようになっている。
【００２１】
レール部材３７は、下方に延びて室内側障子１０Ａをスライド案内する第１上レールとしての室内側上レール３７Ａと、レール係合部３６Ｄに係合される係合片部３７Ｂとを有して断面略Ｌ字形に形成されている。このレール部材３７は、室内側障子１０Ａのスライド範囲に渡る長さ寸法、つまり障子収納部７の縦枠５側端部から図１に示す全閉位置における召合せ框１３Ｂの上方位置までの長さ寸法を有して形成されている。従って、室内側障子１０Ａのスライド範囲を外れた位置（図１の召合せ框１３Ｂよりも左側）には、図３に示すように、レール部材３７が配置されず、すなわち、召合せ框１３Ｂの上方位置において切断された切断端縁３７Ｃ（後述の図５、図６参照）を有してレール部材３７が構成されている。そして、レール部材３７の室内側上レール３７Ａには、切断端縁３７Ｃを覆う端部カバー部材３８が取り付けられている。
【００２２】
また、上枠３における上枠本体３１の底面部３６には、上枠固定部材３４の室外側端縁に連続して室内側上レール３７Ａ位置まで延びるとともに底面部３６を覆う第１上枠カバー部材３９Ａが取り付けられている。また、室内側障子１０Ａのスライド範囲を外れた位置、すなわち全閉位置にある左右の室内側障子１０Ａの召合せ框１３Ｂ間で、かつ室内側上レール３７Ａと室外側上レール３６Ａとの間の室内空間に露出した底面部３６には、底面部３６を覆う第２上枠カバー部材３９Ｂが取り付けられている。これらの第１および第２上枠カバー部材３９Ａ，３９Ｂは、底面部３６に係合して取り付けられた樹脂製の部材であって、底面部３６表面の結露を防止するとともに、結露が生じたとしても結露水が室内空間に垂れ落ちることを防止する機能を有している。
【００２３】
次に、図５および図６も参照して室内側上レール３７Ａの切断端縁３７Ｃおよび端部カバー部材３８の構造について詳しく説明する。ここで、図５は、端部カバー部材３８を示す斜視図であり、図６は、室内側上レール３７Ａへの端部カバー部材３８の取付構造を説明する断面図である。
端部カバー部材３８は、樹脂製の一体成形部材であって、切断端縁３７Ｃに沿って位置するカバー先端部３８Ａと、このカバー先端部３８Ａから延びて互いに見込み方向に対向した一対の側面部である室内側カバー側面部３８Ｂおよび室外側カバー側面部３８Ｃと、これら室内外のカバー側面部３８Ｂ，３８Ｃ間に設けられた溝部３８Ｄと、室内側カバー側面部３８Ｂの下端縁に連続して室内側上レール３７Ａの下端縁を覆うカバー底面部３８Ｅとを有して形成されている。すなわち、端部カバー部材３８において、室外側カバー側面部３８Ｃによって室外側上レール３６Ａ（第２上レール）に対向する側面が構成され、室内側カバー側面部３８Ｂによって室外側上レール３６Ａ（第２上レール）と反対側の側面が構成されている。また、溝部３８Ｄは、上方および室内側上レール３７Ａに向かって開口して形成され、この溝部３８Ｄに室内側上レール３７Ａが挿通可能に構成されている。
【００２４】
そして、室内側カバー側面部３８Ｂの上端縁は、室外側カバー側面部３８Ｃの上端縁よりも上方に延びて形成されるとともに、室内側カバー側面部３８Ｂの開放方向側先端縁（カバー先端部３８Ａと反対側の端縁）は、室外側カバー側面部３８Ｃの先端縁よりも室内側上レール３７Ａ側（室内側障子１０Ａの開放方向側）に延びて形成されている。従って、溝部３８Ｄに室内側上レール３７Ａを挿通させる際には、室内側カバー側面部３８Ｂの内面に室内側上レール３７Ａの室内側側面を当接させてから、この室内側上レール３７Ａに沿って端部カバー部材３８をスライドさせることで取り付けられるようになっている。また、図６に示すように、室内側カバー側面部３８Ｂの内面には、室外側カバー側面部３８Ｃに向かって突出した係合突部３８Ｆが形成され、室内側上レール３７Ａには、切欠き部３７Ｄが形成され、この切欠き部３７Ｄに係合突部３８Ｆが係合することで、端部カバー部材３８が室内側上レール３７Ａに取り付けられるようになっている。
【００２５】
また、端部カバー部材３８は、室内側障子１０Ａの閉鎖方向側（図６中、左側）の端部の室内外側面に一対のカバー傾斜面（第１カバー傾斜面３８１、第３カバー傾斜面３８３）が形成され、これら一対のカバー傾斜面は、開放方向に向かうにしたがって互いが離れる方向に傾斜している。また、室内側障子１０Ａの開放方向側（図６中、右側）の端部の室内外側面に一対のカバー傾斜面（第２カバー傾斜面３８２、第４カバー傾斜面３８４）が形成され、これら一対のカバー傾斜面は、閉鎖方向に向かうにしたがって互いが離れる方向に傾斜している。具体的には、端部カバー部材３８の室外側カバー側面部３８Ｃにおけるカバー先端部３８Ａ側端部、すなわち図６中、左方向である室内側障子１０Ａの閉鎖方向側の端部には、この閉鎖方向に向かうとともに室内側（室外側上レール３６Ａから離れる方向）に傾斜した第１カバー傾斜面（カバー傾斜面）３８１が形成されている。また、室外側カバー側面部３８Ｃにおける室内側上レール３７Ａ側端部、すなわち図６中、右方向である室内側障子１０Ａの開放方向側の端部には、この開放方向に向かうとともに室内側に傾斜した第２カバー傾斜面３８２が形成されている。一方、室内側カバー側面部３８Ｂにおいて、カバー先端部３８Ａ側端部（室内側障子１０Ａの閉鎖方向側の端部）には、この閉鎖方向に向かうとともに室外側（室外側上レール３６Ａに近づく方向）に傾斜した第３カバー傾斜面３８３が形成され、室内側上レール３７Ａ側端部（室内側障子１０Ａの開放方向側の端部）には、この開放方向に向かうとともに室外側に傾斜した第４カバー傾斜面３８４が形成されている。
【００２６】
次に、図７および図８も参照して室外側障子１０Ｂの戸先框１３Ｄ上端部の構造について詳しく説明する。ここで、図７は、室外側障子１０Ｂの戸先框１３Ｄ上端部に設けられる端部キャップ部材１５を示す斜視図であり、図８は、端部キャップ部材１５を示す平面図である。
室外側障子１０Ｂの戸先框１３Ｄは、見込み方向室内側に曲面状の断面形状を有し、その室内側の端部が室内側上レール３７Ａを超えた位置まで延びて形成されている。この戸先框１３Ｄの上端部には、端部キャップ部材１５が取り付けられて上端開口が塞がれており、この端部キャップ部材１５には、室内側上レール３７Ａに対応した見込み位置に室内側上レール３７Ａを挿通可能な挿通溝１５Ａが形成されている。この挿通溝１５Ａは、互いに対向した第１キャップ側面部としての室外側キャップ側面部１５Ｂと、第２キャップ側面部としての室内側キャップ側面部１５Ｃとを有して構成されている。
【００２７】
この端部キャップ部材１５では、室外側障子１０Ｂを開閉移動させて戸先框１３Ｄが室内側上レール３７Ａの切断端縁３７Ｃ位置を通過する際に、室外側キャップ側面部１５Ｂが端部カバー部材３８の室外側カバー側面部３８Ｃと近接し、室内側キャップ側面部１５Ｃが端部カバー部材３８の室内側カバー側面部３８Ｂと近接するようになっている。そして、室外側キャップ側面部１５Ｂおよび室内側キャップ側面部１５Ｃの室外側障子１０Ｂの開放方向側（図６中、右側）の端部には、開放方向に向かうにしたがって互いが離れる方向に傾斜した一対のキャップ傾斜面（第１キャップ傾斜面１５１、第３キャップ傾斜面１５３）が形成され、室外側キャップ側面部１５Ｂおよび室内側キャップ側面部１５Ｃの室外側障子１０Ｂの閉鎖方向側（図６中、左側）の端部には、閉鎖方向に向かうにしたがって互いが離れる方向に傾斜した一対のキャップ傾斜面（第２キャップ傾斜面１５２、第４キャップ傾斜面１５４）が形成されている。具体的には、端部キャップ部材１５の室外側キャップ側面部１５Ｂにおける室外側障子１０Ｂの開放方向側（図８中、右側）の端部には、この開放方向に向かうとともに室外側（室外側上レール３６Ａに近づく方向）に傾斜した第１キャップ傾斜面１５１が形成されている。また、室外側キャップ側面部１５Ｂおける室外側障子１０Ｂの閉鎖方向側（図８中、左側）の端部には、この閉鎖方向に向かうとともに室外側に傾斜した第２キャップ傾斜面１５２が形成されている。一方、室内側キャップ側面部１５Ｃにおいて、室外側障子１０Ｂの開放方向側の端部には、この開放方向に向かうとともに室内側（室外側上レール３６Ａから離れる方向）に傾斜した第３キャップ傾斜面１５３が形成され、室外側障子１０Ｂの閉鎖方向側の端部には、この閉鎖方向に向かうとともに室内側に傾斜した第４キャップ傾斜面１５４が形成されている。
【００２８】
以上のような端部キャップ部材１５に設けた第１〜第４のキャップ傾斜面１５１〜１５４と、前記室内側上レール３７Ａの端部カバー部材３８に設けた第１〜第４のカバー傾斜面３８１〜３８４とは、室外側障子１０Ｂの開閉時において、次のような関係となる。
すなわち、全閉位置から室外側障子１０Ｂを開放する際には、図８に右向き矢印（ＯＰＥＮ）および実線で示すように、室内側上レール３７Ａが設けられていない位置から室内側上レール３７Ａが設けられた位置に向かって戸先框１３Ｄが移動し、室内側上レール３７Ａを端部キャップ部材１５の挿通溝１５Ａに挿通させることとなる。この際、戸先框１３Ｄの移動に伴って、第１キャップ傾斜面１５１が第１カバー傾斜面３８１に接近するとともに、第３キャップ傾斜面１５３が第３カバー傾斜面３８３に接近するが、端部カバー部材３８の閉鎖方向側（図８中、左側）の端部の水平断面積が開放方向（図８中、右方向）に向かうにしたがって徐々に増加しているとともに、第１および第３のキャップ傾斜面１５１，１５３が第１および第３のカバー傾斜面３８１，３８３を受け入れる向きに開いて傾斜しているため、端部カバー部材３８および室内側上レール３７Ａを端部キャップ部材１５の挿通溝１５Ａに円滑に挿通させることができる。
【００２９】
一方、全閉位置に向かって室外側障子１０Ｂを閉鎖する際には、図８に左向き矢印（ＣＬＯＳＥ）および仮想線（二点鎖線）で示すように、挿通溝１５Ａに室内側上レール３７Ａを挿通させた位置から室内側上レール３７Ａが設けられていない位置に向かって戸先框１３Ｄが移動し、端部キャップ部材１５の挿通溝１５Ａから室内側上レール３７Ａが離脱することとなる。この際、戸先框１３Ｄの移動に伴って、第２キャップ傾斜面１５２が第２カバー傾斜面３８２に接近するとともに、第４キャップ傾斜面１５４が第４カバー傾斜面３８４に接近するが、端部カバー部材３８の開放方向側（図８中、右側）の端部の水平断面積が閉鎖方向（図８中、左方向）に向かうにしたがって徐々に増加しているとともに、第２および第４のキャップ傾斜面１５２，１５４が第２および第４のカバー傾斜面３８２，３８４を受け入れる向きに開いて傾斜しているため、端部カバー部材３８を端部キャップ部材１５の挿通溝１５Ａに円滑に挿通させ、室内側上レール３７Ａから離脱させることができる。
【００３０】
このような本実施形態によれば、以下のような効果がある。
（１）すなわち、室内側上レール３７Ａを有するレール部材３７が上枠本体３１と別体とされるとともに、室内側障子１０Ａの移動範囲のみに取り付けられているので、室内側障子１０Ａの移動範囲を外れた部分の室内側上レール３７Ａが省略できる。これにより必要な長さで製造したレール部材３７を用意するだけで良くなり、例えば室内側上レール３７Ａを上枠本体３１に一体成形したものから切断加工する場合と比較して、製造原料がさらに節約できるとともに、加工手間も削減することができる。
【００３１】
（２）また、室内側障子１０Ａの移動範囲以外の部分に室内側上レール３７Ａが設けられていないので、このレールを覆って下方に突出するような大型のカバーを設ける必要がなく、カバーによる有効開口面積の縮小が回避できるとともに、障子１０全開時に目立つカバーがないので、サッシ窓１の意匠性を向上させることができる。そして、大型のカバーではなく、上枠本体３１の底面部３６に沿った比較的小型かつ薄型の第１および第２上枠カバー部材３９Ａ，３９Ｂで底面部３６が覆われることで、上枠本体３１の結露を防止したり、結露したとしても結露水が室内空間に垂れ落ちることが防止できる。
【００３２】
（３）また、室内側上レール３７Ａの切断端縁３７Ｃが端部カバー部材３８で覆われているので、人や障子等が切断端縁３７Ｃに直接触れるおそれがなく、安全性が向上できる。さらに、端部カバー部材３８に第１〜第４のカバー傾斜面３８１〜３８４が形成されているので、室外側障子１０Ｂの開閉時において、戸先框１３Ｄの挿通溝１５Ａが室内側上レール３７Ａの端部カバー部材３８に接近する際に、端部カバー部材３８の第１〜第４のカバー傾斜面３８１〜３８４にて挿通溝１５Ａ内に室内側上レール３７Ａが案内されるため、室外側障子１０Ｂの開閉操作を円滑に実施することができる。
【００３３】
（４）さらに、室外側障子１０Ｂの戸先框１３Ｄにおける端部キャップ部材１５に第１〜第４のキャップ傾斜面１５１〜１５４が形成されているので、これらが端部カバー部材３８の第１〜第４のカバー傾斜面３８１〜３８４と摺接する場合でも、その衝撃を緩和することができる。従って、室外側障子１０Ｂの開放時に端部キャップ部材１５の挿通溝１５Ａに端部カバー部材３８および室内側上レール３７Ａを円滑に挿通させるとともに、室外側障子１０Ｂの閉鎖時に端部キャップ部材１５の挿通溝１５Ａを室内側上レール３７Ａから円滑に離脱させることができ、室外側障子１０Ｂの開閉操作性を向上させることができる。
【００３４】
（５）また、端部カバー部材３８の室内側カバー側面部３８Ｂの上端縁および先端縁が、室外側カバー側面部３８Ｃの上端縁および先端縁よりも延びて形成されているので、室内側カバー側面部３８Ｂの内面に室内側上レール３７Ａの室内側側面を当接させてからスライドさせることで端部カバー部材３８が取り付けられる。従って、室内側カバー側面部３８Ｂの内面をガイドにして、端部カバー部材３８の溝部３８Ｄに室内側上レール３７Ａを挿通させることで、溝部３８Ｄおよび室内側上レール３７Ａの見込み寸法が小さくても、容易に端部カバー部材３８を取り付けることができる。そして、端部カバー部材３８の係合突部３８Ｆを室内側上レール３７Ａの切欠き部３７Ｄに係合させるだけで端部カバー部材３８が取り付けられるので、取付構造が簡単にでき、端部カバー部材３８の見込み方向の厚さ寸法を抑制することができる。
【００３５】
（６）また、室外側障子１０Ｂの戸先框１３Ｄが室内側上レール３７Ａよりも室内側まで延びる見込み寸法を有して形成されているので、戸先框１３Ｄの強度を高めることができ、閉鎖状態において風圧力等に対する抵抗力が確保できる。そして、戸先框１３Ｄを見込み方向室内側に長く形成した場合でも、その上端部に取り付けた端部キャップ部材１５に挿通溝１５Ａが形成されているので、室内側上レール３７Ａとの干渉を避けることができ、室内外のレール間隔を拡大しなくてもよくなり、窓枠２の見込み寸法の拡大が防止できるとともに、戸先框１３Ｄの見込み寸法の制約がなくなるので、設計自由度を高めることができる。
【００３６】
なお、本発明は、前記実施形態に限定されるものではなく、本発明の目的を達成できる他の構成等を含み、以下に示すような変形等も本発明に含まれる。
例えば、前記実施形態においては、四枚建て引き分け、引き込み開放形式の全開口タイプのサッシ窓１を例示して説明したが、本発明の建具はこのようなサッシ窓１に限られない。すなわち、本発明の建具は、一対の障子が片方に開放される開放形式を有したものであればよく、例えば、二枚建てや三枚建ての片引き窓などであってもよい。また、障子１０が外壁Ｗの室外側に引き込まれる外動タイプのものに限らず、外壁Ｗの室内側に障子収納部が設けられた内動タイプのものであってもよい。さらに、障子収納部７としては、外壁Ｗの室外側（または室内側）に構成されたものに限らず、固定ガラスや固定障子の室外側や室内側に設けられていてもよい。
また、障子収納部７としては、外壁などの壁体に沿って設けられていてもよく、固定パネルや固定障子などの面材に沿って設けられていてもよい。そして、障子収納部７は、壁体や面材の室外側および室内側のいずれの側に設けられていてもよい。また、障子収納部７がなくてもよい。
【００３７】
また、前記実施形態では、上枠本体３１とレール部材３７とを別体とし、レール部材３７に第１上レールとしての室内側上レール３７Ａを設けたが、これに限らず、上枠本体３１と一体に第１上レールを形成し、室内側障子１０Ａの移動範囲以外の部分における第１上レールを切断してもよい。さらに、前記実施形態では、上枠本体３１の底面部３６に第１および第２上枠カバー部材３９Ａ，３９Ｂを取り付けたが、これらのカバー部材を省略してもよい。また、室内側障子１０Ａの移動範囲以外の部分において、第１および第２上枠カバー部材３９Ａ，３９Ｂを連続させたような一体のカバー部材を設けてもよい。
【００３８】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３９】
【図１】本発明の実施形態に係る建具を示す横断面図である。
【図２】前記建具を示す縦断面図である。
【図３】前記建具を示す縦断面図である。
【図４】前記建具における上枠を示す縦断面図である。
【図５】前記上枠の上レールに設けられる端部カバー部材を示す斜視図である。
【図６】前記端部カバー部材の取付構造を説明する断面図である。
【図７】前記建具における第２障子の戸先框に設けられる端部キャップ部材を示す斜視図である。
【図８】前記端部キャップ部材と上レールとの関係を示す平面図である。
【符号の説明】
【００４０】
１…サッシ窓（建具）、２…窓枠（枠体）、３…上枠、４…下枠、１０…障子、１０Ａ…室内側障子（内障子）、１０Ｂ…室外側障子（外障子）、１３Ａ…戸先框、１３Ｂ…召合せ框、１３Ｃ…召合せ框、１３Ｄ…戸先框、１５…端部キャップ部材、１５Ａ…挿通溝、１５Ｂ…室外側キャップ側面部（第１キャップ側面部）、１５Ｃ…室内側キャップ側面部（第２キャップ側面部）、３１…上枠本体、３６Ａ…室外側上レール（第２上レール）、３７…レール部材（第１上レール部材）、３７Ａ…室内側上レール（第１上レール）、３７Ｃ…切断端縁、３７Ｄ…切欠き部、３８…端部カバー部材、３８Ｂ…室内側カバー側面部、３８Ｃ…室外側カバー側面部、３８Ｄ…溝部、３８Ｆ…係合突部、３９Ｂ…第２上枠カバー部材、１５１…第１キャップ傾斜面、１５２…第２キャップ傾斜面、１５３…第３キャップ傾斜面、１５４…第４キャップ傾斜面、３８１…第１カバー傾斜面、３８２…第２カバー傾斜面、３８３…第３カバー傾斜面、３８４…第４カバー傾斜面。
【図１】
0004922142.tif 000002
【図２】
0004922142.tif 000003
【図３】
0004922142.tif 000004
【図４】
0004922142.tif 000005
【図５】
0004922142.tif 000006
【図６】
0004922142.tif 000007
【図７】
0004922142.tif 000008
【図８】
0004922142.tif 000009